(57)【特許請求の範囲】
【請求項１】
内容液を収納し、スクイズ変形可能な容器本体と、容器本体の口筒部に取着される中栓と、口筒部に被嵌されるオーバーキャップとからなる注出容器であって、
容器本体は、容器胴部の上部中央に立設された外周にねじを設けた首部と、首部の上部中央に立設された外周に、首部のねじに対して逆方向のねじを設けた口筒部とを具備し、
中栓は、上壁と、内部に注出路を具えた注出筒部と、外周が容器本体の口筒部内周で摺動する内筒部と、外周に複数の縦溝が設けられ、内周に容器本体の口筒部のねじと螺合するねじが設けられた外筒部とを具備し、
オーバーキャップは、上壁と、中栓の注出筒部上端より注出路内に嵌挿する栓体と、内筒部と、内周の上部に、中栓の外筒部の縦溝に係合する縦リブが複数突設され、下部に、容器本体の首部のねじに螺合するねじが設けられている外筒部とを具備し、
容器本体に、オーバーキャップを被嵌閉蓋したときに中栓を上昇させ、容器内を負圧にするようにしたことを特徴とする注出容器。
【発明の詳細な説明】
【技術分野】
【０００１】
本発明は、注出容器、とくに目薬などの内容液を滴下注出することができる注出容器に関するものである。
【背景技術】
【０００２】
目薬などの内容液の注出容器として、容器本体と中栓とからなり、容器を倒立し、容器本体をスクイズすることによって中栓のノズル注出口より内容液を滴下させる注出容器は、従来より知られている（例えば、特許文献１参照）。
【特許文献１】特開平０７−２７５３２２号
【発明の開示】
【発明が解決しようとする課題】
【０００３】
しかしながら、上記特許文献１記載の従来の注出容器では、内容液を滴下した後、容器を正立状態に戻した際、中栓内の注出路としての第２室（３０）内および絞り室（４０）内に付着した内容液が残留液となって流路を塞ぐことがあった。
【０００４】
このことで、内容液の成分によっては、キャップ（７０）により容器内を閉鎖しても、長期間放置すると残留液が乾燥して結晶化し、再度内容液を使用する際に、流路が塞がれ、内容液を使用できなくなるという問題があった。
【０００５】
本発明は、上記の問題を解決することを課題とし、内容液注出後、中栓の注出路内に残った残留液を、容器にオーバーキャップを被嵌させ、閉蓋する際に、容器本体内に戻すことのできる注出容器を提供することを目的とする。
【課題を解決するための手段】
【０００６】
本発明は、上記課題を解決するために、注出容器として、内容液を収納し、スクイズ変形可能な容器本体と、容器本体の口筒部に取着される中栓と、口筒部に被嵌されるオーバーキャップとからなる注出容器であって、容器本体は、容器胴部の上部中央に立設された外周にねじを設けた首部と、首部の上部中央に立設された外周に、首部のねじに対して逆方向のねじを設けた口筒部とを具備し、中栓は、上壁と、内部に注出路を具えた注出筒部と、外周が容器本体の口筒部内周で摺動する内筒部と、外周に複数の縦溝が設けられ、内周に容器本体の口筒部のねじと螺合するねじが設けられた外筒部とを具備し、オーバーキャップは、上壁と、中栓の注出筒部上端より注出路内に嵌挿する栓体と、内筒部と、内周の上部に、中栓の外筒部の縦溝に係合する縦リブが複数突設され、下部に、容器本体の首部のねじに螺合するねじが設けられている外筒部とを具備し、容器本体に、オーバーキャップを被嵌閉蓋したときに中栓を上昇させ、容器内を負圧にするようにしたことを特徴とする構成を採用する。
【発明の効果】
【０００７】
容器本体の首部にねじを、口筒部に首部のねじに対にして逆方向のねじを螺設し、中栓の外筒部の外周に縦溝を設け、内周に口筒部のねじに螺合するねじを螺設し、オーバーキャップの外筒部に中栓の外筒部外周の縦溝に係合する縦リブを、容器本体の首部のねじに螺合するねじを螺設しているから、オーバーキャップの閉蓋時に、容器本体に対してオーバーキャップを廻転させることにより、中栓を上昇させることができる。
中栓が上昇させることにより、容器内の容積が増し容器内が負圧になるので、中栓内の注出路内に残った残留液を、容器内に吸い戻すことができる。
【発明を実施するための最良の形態】
【０００８】
次に、本発明の注出容器の実施形態について、図面を参照して説明する。
図１において、Ａは内容液を収納する容器本体、Ｂは中栓、Ｃはオーバーキャップである。
注出容器内には、内容液として目薬などが収納されている。
【０００９】
図１、２に示すように、容器本体Ａは、スクイズ変形可能な容器胴部１と、容器胴部１の上部中央に立設された首部２と、首部２の上部中央に立設された口筒部３とから形成されている。
首部２の外周面には、右ねじ４が螺設されており、口筒部３の外周面には、右ねじ４と逆方向に傾斜する左ねじ５が螺設されている。
【００１０】
中栓Ｂは、容器本体Ａの口筒部３の上端に下面が当接する上壁１０と、上壁１０中央に立設された注出筒部１１と、上壁１０の下面に垂設され、外周が口筒部３内周内で摺動する内筒部１２と、上壁１０の外縁に垂設され、内周が口筒部３外周と係合する外筒部１３とからなっている。
【００１１】
注出筒部１１内には、上壁１０の下面中央から穿設され、上方に向かい拡径するように形成された注出路１５を具えており、注出路１５の上端は注出口１６、下端は流通口１７となっている。
【００１２】
外筒部１３には、外周に複数の縦溝２０が設けられており、内周に容器本体Ａの口筒部３の左ねじ５と係合する左ねじ２１が螺設されている。
【００１３】
オーバーキャップＣは、上壁２５と、上壁２５下面中央に垂設され、中栓Ｂの注出筒部１１上端の注出口１６より嵌挿し、注出路１５を密閉する栓体２６と、上壁２５下面に垂設された内筒部２７と、上壁２５外縁に垂設された外筒部２８とからなっている。
【００１４】
外筒部２８の内周には、上方部に、中栓Ｂの外筒部１３の縦溝２０に係合する縦リブ３０が複数突設され、下方部に、容器本体Ａの首部２の右ねじ４に係合する右ねじ３１が螺設されている。
【００１５】
次に、本発明の注出容器の作用効果について説明する。
本発明の注出容器を使用する際、まず、オーバーキャップＣの開蓋にあたって、図１に示す状態のオーバーキャップＣの外筒部２８を把持し、反時計方向に回転させる。
オーバーキャップＣは、容器本体Ａに対して、反時計方向への回転により、オーバーキャップＣの外筒部２８内周下部の右ねじ３１と容器本体Ａの首部２外周の右ねじ４との螺合により、上昇しながら容器本体Ａ、および中栓Ｂから外れる。
【００１６】
その際、オーバーキャップＣの外筒部２８内周上部の縦リブ３０と、中栓Ｂの外筒部１３外周の縦溝２０とが係合しているため、オーバーキャップＣの廻動とともに、中栓Ｂも反時計方向に回転し、中栓Ｂの外筒部１３内周の左ねじ２１と容器本体Ａの口筒部３外周の左ねじ５との螺合により、中栓Ｂの内筒部１２外周が容器本体Ａの口筒部３内周内で摺動しながら下降するとともに、オーバーキャップＣの縦リブ３０と、中栓Ｂの縦溝２０との係合が外れ、最後は、図３に示すように、中栓Ｂは、口筒部２に締着され、注出容器からオーバーキャップＣを外した状態になる。
【００１７】
容器を倒立させ、容器本体Ａの容器胴部１を押圧操作することにより、容器内の内容液が中栓Ｂ内の流通口１７から注出路１５を通り、注出口１６から滴下される。
【００１８】
容器を倒立して内容液を滴下後、容器を正立状態に戻し、中栓Ｂの上方から、オーバーキャップＣを容器本体Ａに被嵌させ、オーバーキャップＣの外筒部２８を把持し、時計方向に回転させると、オーバーキャップＣは、オーバーキャップＣの外筒部２８内周下部の右ねじ３１と容器本体Ａの首部２外周の右ねじ４との螺合によって下降し、容器本体Ａおよび中栓Ｂに装着される。
【００１９】
その際、オーバーキャップＣの外筒部２８内周上部の縦リブ３０と、中栓Ｂの外筒部１３外周の縦溝２０とが係合し、オーバーキャップＣの廻動とともに中栓Ｂも時計方向に回転する。
【００２０】
中栓Ｂは、容器本体Ａに対して時計方向に回転することにより、中栓Ｂの外筒部１３内周の左ねじ２１と容器本体Ａの口筒部３外周の左ねじ５との螺合により、中栓Ｂの内筒部１２外周が容器本体Ａの口筒部３内周内で摺動しながらオーバーキャップＣ内で上昇して容器内の容積を増し、最後は、図１に示すように、注出容器が閉蓋状態となる。
【００２１】
本発明の注出容器は、容器の閉蓋時に中栓Ｂが上昇することにより、容器内の容積が増し、容器内が負圧になるので、注出路１５より、外部の空気とともに、中栓Ｂ内に付着残留した内容液を容器本体Ａ内に吸い戻すことができる。
【００２２】
したがって、長期間にわたって注出容器を保管し、再度、容器を使用する際でも、中栓Ｂの注出路１５内に内容液が残留していないので、注出路１５内で内容液が乾いて結晶化することを防ぐことができ、また、注出路１５内を塞ぐということもない。
【００２３】
また、容器の閉蓋時には、オーバーキャップＣの栓体２６が中栓Ｂの注出口１６を塞ぐとともに、オーバーキャップＣの内筒部２７下端が中栓Ｂの上壁１０上面に当接し、密閉するので、容器内の内容液が乾燥することを防ぐことができる。
【００２４】
上記実施形態では、容器本体Ａの首部２に右ねじ４、口筒部３に左ねじ５を螺設し、オーバーキャップＣおよび中栓Ｂに、首部２と口筒部３のねじに螺合する右ねじ３１、左ねじ２１を螺設したが、オーバーキャップＣを容器本体Ａに対して回転させることで、容器本体Ａに対して中栓ＢをオーバーキャップＣの逆方向に上下動させることができればよいので、容器本体Ａの首部２に左ねじ、口筒部３に右ねじを螺設し、オーバーキャップＣおよび中栓Ｂに、首部２と口筒部３のねじに螺合する左ねじ、右ねじを螺設するようにしてもよい。
【産業上の利用可能性】
【００２５】
本発明の注出容器は、中栓内に内容液が付着残留しないので、内容液使用後、中栓内で内容液が乾いて結晶化してしまい、中栓を塞ぐということがなく、安心して内容液を使用でき、目薬などの種々の内容液の注出容器として広く利用することができる。
【図面の簡単な説明】
【００２６】
【図１】本発明の注出容器の断面立面図である。
【図２】本発明の注出容器の展開説明図である。
【図３】本発明の注出容器の開蓋状態の断面立面図である。
【符号の説明】
【００２７】
Ａ        容器本体
Ｂ        中栓
Ｃ        オーバーキャップ
１        容器胴部
２        首部
３        口筒部
４        右ねじ
５        左ねじ
１０、２５  上壁
１１      注出筒部
１２、２７  内筒部
１３、２８  外筒部
１５      注出路
１６      注出口
１７      流通口
２０      縦溝
２１      左ねじ
２６      栓体
３０      縦リブ
３１      右ねじ
【図１】
0004657856.tif 000002
【図２】
0004657856.tif 000003
【図３】
0004657856.tif 000004